(57)【特許請求の範囲】
【請求項１】
ケーシング（１）の対向する一対の面（１ａ），（１ｂ）のうちの一方の面（１ａ）には空調空間に臨む第１吸込口（２）と該第１吸込口（２）の外側に位置する吹出口（４）とを、他方の面（１ｂ）には外気導入路（６）に連通する第２吸込口（３）をそれぞれ設けて上記各吸込口（２），（３）から上記吹出口（４）に至る通風路（５）を形成する一方、
該通風路（５）内に熱交換器（１０）と送風ファン（Ｘ）とをそれぞれ配置するとともに、
上記熱交換器（１０）はその内周側が上記第１吸込口（２）と第２吸込口（３）とに臨むとともにその外周側は上記吹出口（４）に臨ましめられており、
上記送風ファン（Ｘ）は上記熱交換器（１０）の外周側において回転する複数枚の羽根（２０），（２０），・・を備えるとともに上記熱交換器（１０）の内周側に配置されたモーター（１９）により回転駆動される軸流又は斜流ファンで構成されていることを特徴とする空気調和装置。
【請求項２】
請求項１において、
上記第１吸込口（２）又は上記第２吸込口（３）又は上記第１吸込口（２）と上記第２吸込口（３）の双方に、その開口率を増減変更可能とする第１の開口率可変機構（１１）が備えられていることを特徴とする空気調和装置。
【請求項３】
請求項１において、
上記送風ファン（Ｘ）の上記羽根（２０），（２０），・・を回転駆動可能に支持する羽根支持部材（２１）に上記第１吸込口（２）を上記熱交換器（１０）の内周側に連通させる通気開口（２２）が設けられているとともに、
該通気開口（２２）には、該通気開口（２２）の開口率を増減変更可能とする第２の開口率可変機構（２３）が備えられていることを特徴とする空気調和装置。
【請求項４】
請求項３において、
上記第２の開口率可変機構（２３）が、上記通気開口（２２）と重合可能な通気開口（２５）を備え、該通気開口（２５）と上記通気開口（２２）との重合量を変更することで該通気開口（２２）の開口率を増減変更可能とする構成であることを特徴とする空気調和装置。
【請求項５】
請求項３において、
上記第２の開口率可変機構（２３）が、上記通気開口（２２）を閉塞可能な板材羽根（３１）をその板厚方向に揺動変位可能なる如くして上記通気開口（２２）に取り付けて構成され、該板材（３１）の揺動量を変更することで該通気開口（２２）の開口率を増減変更可能とすることを特徴とする空気調和装置。
【請求項６】
請求項５において、
上記板材（３１）が、上記送風ファン（Ｘ）の回転に伴って上記第１吸込口（２）側から上記熱交換器（１０）側に空気を吸い込む如く作用する軸流又は斜流又は遠心ファン（３０）を構成することを特徴とする空気調和装置。
【請求項７】
請求項１において、
上記外気導入路（６）が、上記第２吸込口（３）が設けられた上記ケーシング（１）の上記他方の面（１ｂ）を二重壁（１Ａ，１Ｂ）として得られる壁間空間で構成されていることを特徴とする空気調和装置。
【請求項８】
請求項１において、
上記外気導入路（６）が、上記第２吸込口（３）部分をその外側から覆うように配置された通路形成部材（１８）によって構成されていることを特徴とする空気調和装置。
【発明の詳細な説明】
【０００１】
【発明の属する技術分野】
本願発明は、温調機能と換気機能とを併有した空気調和装置に関するものである。
【０００２】
【従来の技術】
近年、空気調和装置においては、より快適な空調特性を得るという観点から、従来一般的な温度調整機能のみを備えた単機能型の空気調和装置に代わって、これに外気導入機能を付加した換気機能付きの空気調和装置に対するユーザーニーズが高まっている。
【０００３】
ところで、空気調和装置の中でも、特に送風ファンとして遠心ファンを適用するのが従来一般的である天井埋め込み型室内機においては、図１６に示す室内機Ｚ01のように、ケーシング１０１の下面に設けられた吸込口１０２から吹出口１０３に至る通風路１００中に、モーター１０８により回転駆動される片吸込型の遠心ファンＸ0を配置し、該遠心ファンＸ0のファン吸入口を上記吸込口１０２に臨ませるとともに、該遠心ファンＸ0のファン吹出口２５に臨んで脱臭機能とか除塵機能等をもつ空気改質デバイス１０９及び熱交換器１１０を配置して構成される。そして、上記遠心ファンＸ0の運転により、上記吸込口１０２から吸い込んだ室内空気（空気流Ａ02）を上記熱交換器１１０での熱交換によって温度調整した後、これを室内へ吹き出す（空気流Ａ3）ことで、室内の暖房あるいは冷房を行うようになっている。
【０００４】
このような、温度調整のみの単機能の室内機Ｚ01に換気機能を付加してこれを多機能化する場合、従来一般には、図１７に示す室内機Ｚ02のように、上記遠心ファンＸ0のファン吸入口側に位置するベルマウス１０７と上記ケーシング１０１の吸込口１０２に設けられたグリル１０４との間に、所定の容積をもつチャンバー１０５を設け、このチャンバー１０５に上記ケーシング１０１の側壁に形成した外気導入口１０６を介して新鮮な外気を導入し（空気流Ａ01）、これを室内からのリターン空気（空気流Ａ02）と混合し且つ温度調整を行った後に、室内へ吹き出すように構成するのが通例であった。
【０００５】
【発明が解決しようとする課題】
ところが、上記室内機Ｚ02のように、上記遠心ファンＸ0のファン吸入口側に設けた外気チャンバー１０５に外気を導入することで換気機能を発揮させるように構成したものにおいては、例えば、外気導入効率を高めるべく、上記外気導入口１０６へ供給される外気量を増大させたとしても、上記チャンバー１０５には上記吸込口１０２を通して上記遠心ファンＸ0側に吸い込まれる室内からのリターン空気が存在していることから、該チャンバー１０５への外気の導入が抑制され、結果的に、外気導入を効率良く行うことが困難となる。
【０００６】
そこで本願発明では、送風形態の選択によって高い換気能力が得られるようにした空気調和装置を提供することを目的としてなされたものである。
【０００７】
【課題を解決するための手段】
本願発明ではかかる課題を解決するための具体的手段として次のような構成を採用している。
【０００８】
本願の第１の発明にかかる空気調和装置では、ケーシング１の対向する一対の面１ａ，１ｂのうちの一方の面１ａには空調空間に臨む第１吸込口２と該第１吸込口２の外側に位置する吹出口４とを、他方の面１ｂには外気導入路６に連通する第２吸込口３をそれぞれ設けて上記各吸込口２，３から上記吹出口４に至る通風路５を形成する一方、該通風路５内に熱交換器１０と送風ファンＸとをそれぞれ配置するとともに、上記熱交換器１０はその内周側が上記第１吸込口２と第２吸込口３とに臨むとともにその外周側は上記吹出口４に臨ましめられており、上記送風ファンＸは上記熱交換器１０の外周側において回転する複数枚の羽根２０，２０，・・を備えるとともに上記熱交換器１０の内周側に配置されたモーター１９により回転駆動される軸流又は斜流ファンで構成されていることを特徴としている。
【０００９】
本願の第２の発明では、上記第１の発明にかかる空気調和装置において、上記第１吸込口２又は上記第２吸込口３又は上記第１吸込口２と上記第２吸込口３の双方に、その開口率を増減変更可能とする第１の開口率可変機構１１を備えたことを特徴としている。
【００１０】
本願の第３の発明では、上記第１の発明にかかる空気調和装置において、上記送風ファンＸの上記羽根２０，２０，・・を回転駆動可能に支持する羽根支持部材２１に上記第１吸込口２を上記熱交換器１０の内周側に連通させる通気開口２２を設けるとともに、該通気開口２２には、該通気開口２２の開口率を増減変更可能とする第２の開口率可変機構２３を備えたことを特徴としている。
【００１１】
本願の第４の発明では、上記第３の発明にかかる空気調和装置において、上記第２の開口率可変機構２３を、上記通気開口２２と重合可能な通気開口２５を備え、該通気開口２５と上記通気開口２２との重合量を変更することで該通気開口２２の開口率を増減変更可能とする構成としたことを特徴としている。
【００１２】
本願の第５の発明では、上記第３の発明にかかる空気調和装置において、上記第２の開口率可変機構２３を、上記通気開口２２を閉塞可能な板材羽根３１をその板厚方向に揺動変位可能なる如くして上記通気開口２２に取り付けて構成し、該板材３１の揺動量を変更することで該通気開口２２の開口率を増減変更可能としたことを特徴としている。
【００１３】
本願の第６の発明では、上記第５の発明にかかる空気調和装置において、上記板材３１により、上記送風ファンＸの回転に伴って上記第１吸込口２側から上記熱交換器１０側に空気を吸い込む如く作用する軸流又は斜流又は遠心ファン（３０）を構成したことを特徴としている。
【００１４】
本願の第７の発明では、上記第１の発明にかかる空気調和装置において、上記外気導入路６を、上記第２吸込口３が設けられた上記ケーシング１の上記他方の面１ｂを二重壁１Ａ，１Ｂとして得られる壁間空間で構成したことを特徴としている。
【００１５】
本願の第８の発明では、上記第１の発明にかかる空気調和装置において、上記外気導入路６を、上記第２吸込口３部分をその外側から覆うように配置された通路形成部材１８によって構成したことを特徴としている。
【００１６】
【発明の効果】
本願発明ではかかる構成とすることにより次のような効果が得られる。
【００１７】
▲１▼  本願の第１の発明にかかる空気調和装置によれば、ケーシング１の対向する一対の面１ａ，１ｂのうちの一方の面１ａには空調空間に臨む第１吸込口２と該第１吸込口２の外側に位置する吹出口４とを、他方の面１ｂには外気導入路６に連通する第２吸込口３をそれぞれ設けて上記各吸込口２，３から上記吹出口４に至る通風路５を形成する一方、該通風路５内に熱交換器１０と送風ファンＸとをそれぞれ配置するとともに、上記熱交換器１０はその内周側が上記第１吸込口２と第２吸込口３とに臨むとともにその外周側は上記吹出口４に臨ましめられており、上記送風ファンＸは上記熱交換器１０の外周側において回転する複数枚の羽根２０，２０，・・を備えるとともに上記熱交換器１０の内周側に配置されたモーター１９により回転駆動される軸流又は斜流ファンで構成している。
【００１８】
この発明の空気調和装置によれば、空気調和装置が運転され、上記送風ファンＸが回転駆動されると、該送風ファンＸの吸込作用が上記通風路５部分に作用し、この吸込作用を受けて、上記通風路５に臨む上記第１吸込口２側からは室内等の空調空間からリターン空気が吸い込まれると同時に、上記第２吸込口３側からは上記外気導入路６を介して空調空間外の新鮮外気が吸い込まれる。そして、上記各吸込口２，３からそれぞれ吸い込まれたリターン空気と新鮮外気は、上記通風路５内において混合された状態で上記熱交換器１０を通過し、この通過の際に、該熱交換器１０内の循環冷媒との間の熱交換により温度調整が行われ、温風あるいは冷風として上記吹出口４から空調空間内に吹き出され、これによって該空調空間内の空調が実現される。
【００１９】
従って、この発明にかかる空気調和装置においては、上記送風ファンＸの運転によって外気導入による空調空間内の換気作用と該空調空間内の温調作用とが並行して同時に行われるため、例えば温調作用のみの場合に比して、より快適な空調特性が実現されるものである。しかも、かかる効果は、上記第１吸込口２と第２吸込口３とが対向位置に設けられ、該第１吸込口２からの外気と上記第２吸込口３からのリターン空気の上記通風路５への吸込時における相互干渉が可及的に排除されているため、例えば、既述した従来の換気機能付き空気調和装置のように室内空気の吸込によって外気導入が影響を受けるようなこともなく、より一層確実となるものである。
【００２０】
また、この発明にかかる空気調和装置においては、上記第１吸込口２と第２吸込口３とが共に上記通風路５を介して上記吹出口４に連通しているので、例え該第１吸込口２と第２吸込口３との間に吸込流量の差があったとしても、特段、上記送風ファンＸ内に機械的な風量可変手段を付設しなくても、羽根２０，２０，・・が有効に作動し、低騒音で且つ高効率の換気特性を、安価な構成で且つ容易に実現することができるものである。
【００２１】
▲２▼  本願の第２の発明にかかる空気調和装置によれば、上記▲１▼に記載の効果に加えて次のような特有の効果が奏せられる。即ち、この発明では、上記第１吸込口２又は上記第２吸込口３又は上記第１吸込口２と上記第２吸込口３の双方に、その開口率を増減変更可能とする第１の開口率可変機構１１を備えているので、該第１の開口率可変機構１１によって上記第１吸込口２又は第２吸込口３又は上記第１吸込口２と第２吸込口３の双方の開口率を適宜変化させることで、上記第１吸込口２から吸い込まれる空調空間からのリターン空気量と上記第２吸込口３から吸い込まれる外気量との比率を任意に且つ容易に変更設定することができ、この結果、空気調和装置における空調特性を、換気機能を重視した空調特性と温調機能を重視した空調特性の間で任意に選択して空調空間の空気状況に対応した快適な空調が可能となるものである。
【００２２】
▲３▼  本願の第３の発明にかかる空気調和装置によれば、上記▲１▼に記載の効果に加えて次のような特有の効果が奏せられる。即ち、この発明では、上記送風ファンＸの上記羽根２０，２０，・・を回転駆動可能に支持する羽根支持部材２１に上記第１吸込口２を上記熱交換器１０の内周側に連通させる通気開口２２を設けるとともに、該通気開口２２には、該通気開口２２の開口率を増減変更可能とする第２の開口率可変機構２３を備えているので、該第２の開口率可変機構２３により上記通気開口２２の開口率を増減変化させて上記第１吸込口２から吸い込まれるリターン空気量を増減変化させることで、相対的に上記第２吸込口３から吸い込まれる外気量が増減変化し、結果的に上記第１吸込口２から吸い込まれるリターン空気量と上記第２吸込口３から吸い込まれる外気量との比率を任意に且つ容易に変更設定することができ、この結果、空気調和装置における空調特性を、換気機能を重視した空調特性と温調機能を重視した空調特性の間で任意に選択して空調空間の空気状況に対応した快適な空調が可能となるものである。
【００２３】
そして、この場合における上記第２の開口率可変機構２３の好適な構成としては、例えば、本願の第４の発明にかかる空気調和装置のように、上記第２の開口率可変機構２３を、上記通気開口２２と重合可能な通気開口２５を備え、該通気開口２５と上記通気開口２２との重合量を変更することで該通気開口２２の開口率を増減変更可能とする構成としたり、あるいは本願の第５の発明にかかる空気調和装置のように、上記第２の開口率可変機構２３を、上記通気開口２２を閉塞可能な板材羽根３１をその板厚方向に揺動変位可能なる如くして上記通気開口２２に取り付けて構成し、該板材３１の揺動量を変更することで該通気開口２２の開口率を増減変更可能とする構成とすることが考えられ、これら何れの構成を採用しても上記の如き上記第２の開口率可変機構２３を備えたことによる特有の効果が奏せられるものである。
【００２４】
▲４▼  本願の第６の発明にかかる空気調和装置によれば、上記第２の開口率可変機構２３を、上記通気開口２２を閉塞可能な板材羽根３１をその板厚方向に揺動変位可能なる如くして上記通気開口２２に取り付けて構成し、該板材３１の揺動量を変更することで該通気開口２２の開口率を増減変更可能とした上記第５の発明にかかる空気調和装置において、上記板材３１により、上記送風ファンＸの回転に伴って上記第１吸込口２側から上記熱交換器１０側に空気を吸い込む如く作用する軸流又は斜流又は遠心ファン３０を構成するようにしているので、上記板材３１が上記通気開口２２の開口率を零以外の値に設定している状態（即ち、少なくとも上記通気開口２２を通して空調空間からのリターン空気の吸込が行われている状態）においては、上記板材３１が軸流又は斜流又は遠心ファン３０として機能し、リターン空気を上記通気開口２２を通して吸い込んでこれを上記熱交換器１０側に押し込む如く作用する。従って、この板材３１により構成される軸流又は斜流又は遠心ファン３０による送風作用が上記送風ファンＸによる空気の吸込作用に加算的に作用し、例えばかかる加算的な送風作用が期待できない構成の場合に比して、上記吹出口４からの吹出空気の静圧がより一層高められ、さらに良好な空調特性が得られるものである。
【００２５】
▲５▼  本願の第７の発明にかかる空気調和装置によれば、上記▲１▼に記載の効果に加えて次のような特有の効果が奏せられる。即ち、この発明では、上記外気導入路６を、上記第２吸込口３が設けられた上記ケーシング１の上記他方の面１ｂを二重壁１Ａ，１Ｂとして得られる壁間空間で構成しているので、例えば上記外気導入路６としてそれ専用の部材を配置する場合に比して、該外気導入路６をよりコンパクトに且つ安価に得ることができ、それだけ空気調和装置の低コスト化が促進されるものである。
【００２６】
▲６▼  本願の第８の発明にかかる空気調和装置によれば、上記▲１▼に記載の効果に加えて次のような特有の効果が奏せられる。即ち、この発明では、上記外気導入路６を、上記第２吸込口３部分をその外側から覆うように配置された通路形成部材１８によって構成しているので、該外気導入路６をよりコンパクト且つ安価に形成することができ、延いては空気調和装置の低コスト化が促進されるものである。
【００２７】
【発明の実施の形態】
以下、本願発明にかかる空気調和装置を添付図面に示す実施形態に基づいて具体的に説明する。
【００２８】
第１の実施形態（図１〜図６を参照）
図１には、本願発明にかかる空気調和装置の第１の実施形態として、セパーレート型空気調和装置における天井埋込式の室内機Ｚ1を示している。この室内機Ｚ1は、本願の請求項１，請求項２及び請求項７に記載の発明が適用されたものであって、空調空間である室内の天井に埋め込み配置される筐状形態をもつケーシング１を備えている。このケーシング１は、その下面１ａの中央部に第１吸込口２と該第１吸込口２の外側に位置する吹出口４とを設ける一方、該下面１ａに離間対向する天面１ｂには上記第１吸込口２と略同軸上に位置するようにして第２吸込口３を設けている。尚、この実施形態のものにおいては、上記ケーシング１の天面１ｂを、上記第２吸込口３が形成された天板１Ａと該天板１Ａの上方に適宜離間して配置された天板１Ｂとでなる二重壁構造としており、この天板１Ａと天板１Ｂとの対向空間を外気導入路６として利用し、該外気導入路６及びこれに接続されるダクト（図示省略）を介して上記第２吸込口３を室外に臨ませている。また、上記第１吸込口２にはベルマウス１６が、上記第２吸込口３にはベルマウス１７がそれぞれ設けられている。
【００２９】
上記第１吸込口２と第２吸込口３及び吹出口４の形成によって、上記ケーシング１内には、該第１吸込口２と第２吸込口３の双方から上記吹出口４に至る通風路５が形成されている。そして、この通風路５内には、次述するように、空気改質デバイス９と熱交換器１０と送風ファンＸ及び第１の開口率可変機構１１がそれぞれ配置されている。
【００３０】
上記空気改質デバイス９は、例えば脱臭機能とか除塵機能等をもつデバイスであって、上記各吸込口２，３の口径より所定寸法だけ大きな内径の筒状形態とされ、上記各ベルマウス１６，１７の外側を囲繞する如く立設配置されている。
【００３１】
上記熱交換器１０は、上記空気改質デバイス９の外径より所定寸法だけ大きな内径をもつ筒状形態に形成されたクロスフィンタイプの熱交換器であって、上記空気改質デバイス９の外側にこれを囲繞する如く立設配置されている。そして、この熱交換器１０の配置状態においては、該熱交換器１０の内周側が上記各吸込口２，３に臨むとともに、その外周側は上記吹出口４に臨んでいる。また、この熱交換器１０の下端には、ドレンパン８が配置されている。
【００３２】
上記送風ファンＸは、上記熱交換器１０の外周側において回転する複数枚の羽根２０，２０，・・を、次述の羽根支持部材２１の外周部に取り付けて構成された軸流ファン又は斜流ファンであって、空気を上記熱交換器１０の内周側から外周側へ吸い出すことで送風作用をなす。
【００３３】
上記羽根支持部材２１は、図１及び図２に示すように、板材をその板厚方向に折曲させて形成されたものであって、円錐筒状形態をもつ錐状部２１Ａと該錐状部２１Ａの下端に連続して径方向外方へ延出する延出板部２１Ｂとを備えている。そして、この羽根支持部材２１は、上記延出板部２１Ｂを、上記ドレンパン８とこれに対向する室内パネル７との間の隙間部分を通して配置することで、該延出板部２１Ｂの外周部に取り付けられた上記各羽根２０，２０，・・を上記熱交換器１０の外周側に位置せしめている。
【００３４】
また、上記羽根支持部材２１の錐状部２１Ａの上面軸心部にはボス２１ａが設けられている。このボス２１ａは、上記ケーシング１の上記天板１Ｂに固定配置したモーター１９の回転軸１９ａに軸着されており、該モーター１９によって回転駆動される。さらに、上記錐状部２１Ａの外周面には、図２に示すように、複数個の通気開口２２，２２，・・が、その周方向に所定間隔で形成されている。従って、上記送風ファンＸの配置によって、上記第１吸込口２は上記羽根支持部材２１の上記各通気開口２２，２２，・・を介して上記熱交換器１０側に臨むこととなる。尚、この場合、上記各通気開口２２，２２，・・の開口面積は、上記送風ファンＸの最大送風量に対応して設定されている。
【００３５】
上記第１の開口率可変機構１１は、図３に示すように、複数個の開口１４，１４，・・を放射状に形成した第１開口板１２と、同じく複数個の開口１５，１５，・・を放射状に形成した第２開口板１３とを同軸上に近接対向あるいは接触対向させて構成される。そして、この第１の開口率可変機構１１は、上記第１開口板１２と第２開口板１３とを適宜相対回転させて、該第１開口板１２側の各開口１４，１４，・・と該第２開口板１３側の各開口１５，１５，・・との重合量を変化させることで、該第１の開口率可変機構１１が配置された通路部分の開口率を変更するものである。この実施形態においては、上記第１の開口率可変機構１１を上記第１吸込口２と第２吸込口３の双方にそれぞれ配置し（図１参照）、該各第１の開口率可変機構１１，１１によって該第１吸込口２及び第２吸込口３の開口率を任意に変更設定することで、上記第１吸込口２から吸い込まれる室内からのリターン空気量と上記第２吸込口３から吸い込まれる室外からの新鮮外気量との比率を変更し得るようにしている。
【００３６】
続いて、以上の如く構成された上記室内機Ｚ1の作動状態を、図４〜図６を参照して説明する。
【００３７】
図４に示す作動状態
図４は、上記第１吸込口２側に設けられた上記第１の開口率可変機構１１における設定開口率と、上記第２吸込口３側に設けられた上記第１の開口率可変機構１１における設定開口率とが同じである場合、例えば、上記各第１の開口率可変機構１１，１１の開口率が共に最大とされた場合（即ち、上記開口１４と上記開口１５とが完全重合した場合）の空気の流れ状態を示している。
【００３８】
この状態においては、空気調和装置が運転され、上記室内機Ｚ1において上記送風ファンＸが回転駆動されると、その吸込・吹出作用により、空気流Ａ1で示すように上記第１吸込口２を通して室内からのリターン空気が通風路５内に吸入されると同時に、空気流Ａ2で示すように上記第２吸込口３を通して室外からの新鮮外気が上記通風路５内に吸入される。この場合、上記第１吸込口２と第２吸込口３の開口率が同一に設定されており、しかも上記第１吸込口２と第２吸込口３とが対向位置に設けられ、該第１吸込口２からの新鮮外気と上記第２吸込口３からのリターン空気との相互干渉が可及的に排除されているため、上記リターン空気量と新鮮外気量とは可及的に均等とされる。
【００３９】
上記通風路５内に吸入されたリターン空気と新鮮外気とは、該通風路５内において混合されながら上記空気改質デバイス９及び上記熱交換器１０を通過して上記吹出口４側に吸い出されるが、その際、この空気流は上記空気改質デバイス９において空気中に混入している臭気成分あるいは塵埃の除去による改質作用が行われて清浄化されるとともに、上記熱交換器１０においてはその内部循環冷媒との熱交換によって温度調整が行われ、最終的に清浄な温風あるいは冷風として上記吹出口４から室内に吹き出される。これにより、室内の暖房あるいは冷房が行われると同時に、新鮮外気の導入による室内の換気が行われ、結果的に、より快適な空調特性が実現されるものである。
【００４０】
図５に示す状態
図５は、上記第１吸込口２側に設けられた上記第１の開口率可変機構１１における開口率を最大に設定する一方、上記第２吸込口３側に設けられた上記第１の開口率可変機構１１における開口率を最小（例えば、全閉状態の開口率「０」の状態）とした場合における空気の流れ状態を示している。
【００４１】
この状態においては、上記第２吸込口３が全閉とされているので、上記室内機Ｚ1において上記送風ファンＸが回転駆動されると、空気流Ａ1で示すように上記第１吸込口２を通して室内からのリターン空気のみが通風路５内に吸入され、上記第２吸込口３からの新鮮外気の吸入は行われない。従って、この場合には、リターン空気の温度調整のみによる室内の暖房あるいは冷房のみが行われ、新鮮外気の導入による換気作用は行われない。即ち、この作動状態は、室内空気の汚染程度が低く室内の換気の必要性が少ない場合における空調特性、換言すれば、温調特性を重視した空調特性を得る場合に好適なものである。
【００４２】
図６に示す状態
図６は、図５に示す状態とは逆に、上記第２吸込口３側に設けられた上記第１の開口率可変機構１１における開口率を最大に設定する一方、上記第１吸込口２側に設けられた上記第１の開口率可変機構１１における開口率を最小（例えば、全閉状態の開口率「０」の状態）とした場合における空気の流れ状態を示している。
【００４３】
この状態においては、上記第１吸込口２が全閉とされているので、上記室内機Ｚ1において上記送風ファンＸが回転駆動されると、空気流Ａ2で示すように上記第２吸込口３を通して室外からの新鮮外気のみが通風路５内に吸入され、上記第１吸込口２からのリターン空気の吸入は行われない。従って、この場合には、新鮮外気の温度調整のみによる室内の暖房あるいは冷房のみが行われることから、室内空気の汚染程度が高く室内の換気の必要性が高い場合における空調特性、即ち、換気特性を重視した空調特性を得ることができるものである。
【００４４】
以上のように、この実施形態にかかる室内機Ｚ1においては、室内の空気条件に応じて、空調特性として、換気特性を重視した空調特性、温調特性を重視した空調特性、あるいは換気と温調とを均等させた中間の空調特性を任意に選択することで、より快適な空調を安価で且つ簡単な構成によって実現することができ、延いては空気調和装置の多機能化による付加価値のより一層の向上が可能となるものである。
【００４５】
また、この実施形態のように、上記外気導入路６を、上記第２吸込口３が設けられた上記ケーシング１の上面１ｂを二重壁構造の上記天板１Ａと天板１Ｂの壁間空間で構成することで、例えば上記外気導入路６としてそれ専用の部材を配置する場合に比して、該外気導入路６をよりコンパクトに且つ安価に得ることができ、それだけ空気調和装置の低コスト化が促進されるものである。
【００４６】
第２の実施形態（図７〜図９を参照）
図７には、本願発明にかかる空気調和装置の第２の実施形態として、天井埋込式の室内機Ｚ2を示している。この室内機Ｚ2は、本願の請求項１，請求項２，請求項３，請求項４及び請求項７に記載の発明が適用されたものであって、上記第１の実施形態にかかる上記室内機Ｚ1と異なる点は、該第１の実施形態にかかる上記室内機Ｚ1においては上記第１吸込口２と第２吸込口３の双方にそれぞれ上記第１の開口率可変機構１１を配置し、これら二つの第１の開口率可変機構１１，１１によって上記第１吸込口２からのリターン空気量と上記第２吸込口３からの新鮮外気量との比率を任意に変更するようにしていたのに対して、この実施形態の室内機Ｚ2においては、上記第２吸込口３の開口率はこれを上記第１の開口率可変機構１１によって変更するものの、上記第１吸込口２の開口率の変更についてはこれを上記第１の開口率可変機構１１によらず、送風ファンＸに設けた後述の第２の開口率可変機構２３によって変更設定するようにした点である。
【００４７】
以下においては、上記第２の開口率可変機構２３の構成を中心に上記室内機Ｚ2の構造を説明するが、上記第１の実施形態にかかる室内機Ｚ1と同様の構成部材については第１の実施形態の場合と同一の符号を付することでその詳細説明は省略する。
【００４８】
この実施形態の室内機Ｚ2においては、上述のように、上記第２吸込口３部分には、上記第１の実施形態において説明したと同様構造をもつ第１の開口率可変機構１１を配置し、該第１の開口率可変機構１１によってその開口率を変更可能としている。
【００４９】
これに対して、上記第１吸込口２側においては、上記第１の開口率可変機構１１を設けることなく、これに代わるものとして、次述の第２の開口率可変機構２３を送風ファンＸに備えている。
【００５０】
上記送風ファンＸは、上記第１の実施形態にかかる室内機Ｚ1に適用された上記送風ファンＸと同一であって、上記羽根支持部材２１の外周部に上記羽根２０，２０，・・を取り付けて構成される軸流また斜流ファンであり、上記モーター１９に取り付けられる上記羽根支持部材２１の錐状部２１Ａには、図８に示すように複数個の通気開口２２，２２，・・が形成されている。そして、この実施形態においては、この羽根支持部材２１の錐状部２１Ａに設けられた上記各通気開口２２，２２，・・を開口率の変更機構の一部として利用し次述の第２の開口率可変機構２３を構成している。
【００５１】
上記第２の開口率可変機構２３は、図７〜図１０に示すように、上記羽根支持部材２１における上記錐状部２１Ａの内側に密接状態で嵌装配置される円錐筒状の形態をもつ回動体２４を備えている。そして、この回動体２４の外周面には、上記羽根支持部材２１の上記錐状部２１Ａ側に設けられた上記各通気開口２２，２２，・・に対応する形状をもつ複数個の通気開口２５，２５，・・が、該各通気開口２２，２２，・・と対応する位置にそれぞれ設けられている。また、この回動体２４は、図７に示すように、上記羽根支持部材２１の錐状部２１Ａの内側に嵌装された状態で、該羽根支持部材２１とともに上記モーター１９の回転軸１９ａの先端部分に支持されており、これを回動させることで該回動体２４を上記羽根支持部材２１の錐状部２１Ａに対して相対的に回動変化させることができ、これによって開口率を変更し得るようになっている。
【００５２】
即ち、図８に示す状態は、上記羽根支持部材２１側の上記各通気開口２２，２２，・・と上記回動体２４側の上記各通気開口２５，２５，・・とが略完全に重合した状態であり、その開口率は最大値となっている。
【００５３】
図９に示す状態は、上記羽根支持部材２１側の上記各通気開口２２，２２，・・と上記回動体２４側の上記各通気開口２５，２５，・・とが略中間の重合量となった状態であり、その開口率は中間値となっている。
【００５４】
図１０に示す状態は、上記羽根支持部材２１側の上記各通気開口２２，２２，・・と上記回動体２４側の上記各通気開口２５，２５，・・とが完全に非重合となり、これら各通気開口２２，２２，・・、及び通気開口２５，２５，・・が共に全閉され、その開口率は最小値（０）となっている。
【００５５】
このように、上記送風ファンＸ部分に上記第２の開口率可変機構２３を備えて構成される上記室内機Ｚ2においては、該第２の開口率可変機構２３によって上記第１吸込口２の開口率が変更設定されることで、上記第１吸込口２の開口率を上記第１の開口率可変機構１１によって変更設定するようにした上記第１の実施形態にかかる室内機Ｚ1と同様の作用効果が得られるものである。
【００５６】
第３の実施形態（図１１を参照）
図１１には、本願発明にかかる空気調和装置の第３の実施形態として、天井埋込式の室内機Ｚ3を示している。この室内機Ｚ3は、本願の請求項１，請求項２，請求項３及び請求項８に記載の発明が適用されたものであって、上記第２の実施形態にかかる上記室内機Ｚ2とその基本的構造を同じとするものであって、該第２の実施形態にかかる室内機Ｚ2と異なる点は、上記第２吸込口３に連続する上記外気導入路６の形成構造である。即ち、上記第２の実施形態の室内機Ｚ2においては、上記ケーシング１の天面１ｂを天板１Ａと天板１Ｂとからなる二重壁構造とし、これらの隙間空間を上記外気導入路６として利用するようにしていたのに対して、この実施形態の室内機Ｚ3においては上記ケーシング１の天面１ｂを天板１Ａのみからなる一重壁構造とするとともに、該天板１Ａの上方に、該天板１Ａに設けられた上記第２吸込口３及びその近傍部分のみを局部的上方から覆うようにして通路形成部材１８を配置し、該通路形成部材１８と上記天板１Ａとによって上記外気導入路６を形成するようにしたものである。
【００５７】
従って、かかる通路形成部材１８によって上記外気導入路６を形成することで、例えば上記第２の実施形態のように上記ケーシング１の天面１ｂを二重壁構造とする場合に比して、該外気導入路６部分の小型軽量化が促進されることになる。
【００５８】
尚、これ以外の部分の構造及び作用効果は、全て上記第１及び第２の実施形態にかかる室内機Ｚ1，Ｚ2の場合と同じであるので、ここでの説明は省略する。
【００５９】
第４の実施形態（図１２〜図１５を参照）
図１２には、本願発明にかかる空気調和装置の第４の実施形態として、天井埋込式の室内機Ｚ4を示している。この室内機Ｚ4は、本願の請求項１，請求項２，請求項３，請求項５，請求項６及び請求項７に記載の発明が適用されたものであって、上記第２の実施形態にかかる室内機Ｚ2を基本形態とし、これと異なる点は、上記第２の開口率可変機構２３の構成である。即ち、上記第２の実施形態にかかる上記室内機Ｚ2においては、上記第２の開口率可変機構２３を、通気開口２５，２５，・・を備えた円錐筒状の上記回動体２４を上記送風ファンＸにおける上記錐状部２１Ａの内側に相対回動可能に嵌装配置して構成していたのに対して、図１２及び図１３に示すように、上記送風ファンＸの錐状部２１Ａに設けられた上記通気開口２２，２２，・・のそれぞれに、枢支軸３２を介して板状の羽根３１，３１，・・（特許請求の範囲中の「板材３１」に該当する）を揺動可能に取り付けて構成し、該羽根３１，３１，・・の揺動量を適宜変化させることで、該羽根３１，３１，・・によって上記各通気開口２２，２２，・・の実質的な開口量を増減設定できるようにしたものである。
【００６０】
尚、図１４に示す状態は、上記各羽根３１，３１，・・がそれぞれ適度に揺動変化し、上記各通気開口２２，２２，・・がそれぞれ所要の開口率をもった状態である。一方、図１５に示す状態は、上記各羽根３１，３１，・・によって上記各通気開口２２，２２，・・が閉塞され、その開口率が「０」とされた状態である。また、上記第２吸込口３側には、上記第１の開口率可変機構１１が備えられ、該第２吸込口３の開口率はこの第１の開口率可変機構１１によって変更設定されるようになっている。
【００６１】
従って、かかる構造の室内機Ｚ4においては、上記各羽根３１，３１，・・の揺動量を適宜設定することで、上記各実施形態の室内機Ｚ1〜Ｚ3の場合と同様に、上記第２の開口率可変機構２３と上記第１の開口率可変機構１１の開口率を同じに設定して該第１吸込口２からのリターン空気量と上記第２吸込口３からの新鮮外気量とをほぼ均等にし、適度の換気を行いつつ温調を行う中間の空調特性と、上記第２の開口率可変機構２３の開口率を最大とする一方、上記第１の開口率可変機構１１の開口率を最小として該第１吸込口２からリターン空気のみの吸入を行う温調重視の空調特性と、上記第２の開口率可変機構２３の開口率を最小とする一方、上記第１の開口率可変機構１１の開口率を最小に設定して該第２吸込口３からの新鮮外気のみの吸入を行う換気重視の空調特性とを、任意に選択設定することができ、これによってより快適な空調が実現されるものである。
【００６２】
さらに、この実施形態のものにおいては、上記各羽根３１，３１，・・によって上記第２の開口率可変機構２３を構成し、該各羽根３１，３１，・・を開口率変更手段として機能させるに止まらず、さらにこの羽根３１，３１，・・をファンとしても機能させるようにしている。即ち、上記羽根３１，３１，・・は上記羽根支持部材２１の各通気開口２２，２２，・・に設けられ、且つこれが全閉以外の揺動位置に設定されている状態においては、該各羽根３１，３１，・・が上記通気開口２２，２２，・・を通って流れる空気流に対して所定の羽根角をもつことに着目し、該羽根３１，３１，・・の形状を適宜設定することで、該羽根３１，３１，・・が上記送風ファンＸの回転と一体的に回転するとき、該羽根３１，３１，・・が軸流ファンまたは斜流ファンまたは遠心ファン３０として機能し得るようにしたものである。
【００６３】
このように、上記羽根３１，３１，・・に軸流ファンまたは斜流ファンまたは遠心ファン３０としての機能を持たせることで、該羽根３１，３１，・・が上記通気開口２２，２２，・・を全閉している状態以外の場合においては、上記羽根３１，３１，・・が軸流又は斜流又は遠心ファン３０として有効に機能し、上記第１吸込口２側から上記通気開口２２，２２，・・を通してリターン空気を吸い込み且つこれを上記熱交換器１０側に押し込む如く作用することになる。この結果、上記羽根３１，３１，・・による送風作用が上記送風ファンＸによる空気の吸込作用に加算的に作用し、例えばかかる加算的な送風作用が期待できない構成の場合に比して、上記吹出口４からの吹出空気の静圧がより一層高められ、さらに良好な空調特性が得られることになる。
【図面の簡単な説明】
【図１】本願発明にかかる空気調和装置の第１の実施形態としての室内機の構造を示す断面図である。
【図２】図１に示す室内機に備えられた送風ファンの要部を示す斜視図である。
【図３】図１に示す室内機に備えられた開口率可変機構の構造を示す斜視図である。
【図４】図１に示す室内機の作動状態説明図である。
【図５】図１に示す室内機の作動状態説明図である。
【図６】図１に示す室内機の作動状態説明図である。
【図７】本願発明にかかる空気調和装置の第２の実施形態としての室内機の構造を示す断面図である。
【図８】図７に示す室内機に備えられた送風ファンの要部を示す斜視図である。
【図９】図８に示した送風ファンの状態変化図である。
【図１０】図８に示した送風ファンの状態変化図である。
【図１１】本願発明にかかる空気調和装置の第３の実施形態としての室内機の構造を示す断面図である。
【図１２】本願発明にかかる空気調和装置の第４の実施形態としての室内機の構造を示す断面図である。
【図１３】図１２に示した室内機に備えられた送風ファンの要部を示す斜視図である。
【図１４】図１３のＸＩＶ−ＸＩＶ矢視図である。
【図１５】図１４に示した送風ファンの状態変化図である。
【図１６】従来の空気調和装置の構造を示す断面図である。
【図１７】従来の空気調和装置の構造を示す断面図である。
【符号の説明】
１はケーシング、１Ａ及び１Ｂは天板、２は第１吸込口、３は第２吸込口、４は吹出口、５は通風路、６は外気導入路、７は室内パネル、８はドレンパン、９は空気改質デバイス、１０は熱交換器、１１は第１の開口率可変機構、１２は第１開口板、１３は第２開口板、１４及び１５は開口、１６及び１７はベルマウス、１８は通路形成部材、１９はモーター、２０は羽根、２１は羽根支持部材、２１Ａは錐状部、２１Ｂは延出板部、２２は通気開口、２３は第２の開口率可変機構、２４は回動体、２５は通気開口、２６は実質開口部、３０はファン、３１は羽根、３２は枢支軸、Ａ1〜Ａ3は空気流、Ｘは送風ファン、Ｚ1〜Ｚ4は室内機（空気調和装置）である。
【図１】
0003867416.tif 000002
【図２】
0003867416.tif 000003
【図３】
0003867416.tif 000004
【図４】
0003867416.tif 000005
【図５】
0003867416.tif 000006
【図６】
0003867416.tif 000007
【図７】
0003867416.tif 000008
【図８】
0003867416.tif 000009
【図９】
0003867416.tif 000010
【図１０】
0003867416.tif 000011
【図１１】
0003867416.tif 000012
【図１２】
0003867416.tif 000013
【図１３】
0003867416.tif 000014
【図１４】
0003867416.tif 000015
【図１５】
0003867416.tif 000016
【図１６】
0003867416.tif 000017
【図１７】
0003867416.tif 000018